(57)【特許請求の範囲】
【請求項１】
鉛直方向に延びるとともに水平方向に離れて設置された第１単管と第２単管との間で互いに交差するように配設され、前記第１単管と前記第２単管とを連結する第１斜材及び第２斜材を備えた単管足場用先行筋交いにおいて、
前記第１斜材の上部には、前記第１単管に固定される第１上側クランプと、前記第１単管の外周面に接触し、当該外周面によって上下方向に案内される第１被案内部とが設けられ、
前記第２斜材の下部には、前記第１単管に固定される第１下側クランプが設けられ、
前記第２斜材の上部には、前記第２単管に固定される第２上側クランプが設けられ、
前記第１斜材の下部には、前記第２単管に固定される第２下側クランプが設けられていることを特徴とする単管足場用先行筋交い。
【請求項２】
請求項１に記載の単管足場用先行筋交いにおいて、
前記第１被案内部は、前記第１上側クランプに固定されていることを特徴とする単管足場用先行筋交い。
【請求項３】
請求項２に記載の単管足場用先行筋交いにおいて、
前記第１上側クランプは、前記第１単管の外周面に対して該第１単管の径方向一側及び他側からそれぞれ当接して該第１単管を径方向に挟持する第１挟持部材及び第２挟持部材と、
前記第１挟持部材の一端側と前記第２挟持部材の一端側とが互いに接離する方向に回動可能に該第１挟持部材の他端側と該第２挟持部材の他端側とを連結する連結部材と、
前記第１挟持部材の一端側と前記第２挟持部材の一端側とを互いに接近する方向に締結する締結部材とを備え、
前記第１挟持部材の一端側と他端側との間の部分は、前記第１斜材の上部に固定され、
前記第１被案内部は、前記第１挟持部材に固定されていることを特徴とする単管足場用先行筋交い。
【請求項４】
請求項３に記載の単管足場用先行筋交いにおいて、
前記第１被案内部は、前記第１挟持部材から上方へ突出していることを特徴とする単管足場用先行筋交い。
【請求項５】
請求項１から４のいずれか１つに記載の単管足場用先行筋交いにおいて、
前記第１被案内部は、前記第１斜材及び前記第１単管の正面視で前記第１単管の正面側まで延びる正面側延出部を有していることを特徴とする単管足場用先行筋交い。
【請求項６】
請求項５に記載の単管足場用先行筋交いにおいて、
前記第１被案内部は、前記第１斜材及び前記第１単管の背面視で前記第１単管の背面側まで延びる背面側延出部を有していることを特徴とする単管足場用先行筋交い。
【請求項７】
請求項１から６のいずれか１つに記載の単管足場用先行筋交いにおいて、
前記第２斜材の上部には、前記第２単管の外周面に接触し、当該外周面によって上下方向に案内される第２被案内部が設けられていることを特徴とする単管足場用先行筋交い。
【請求項８】
請求項１から７のいずれか１つに記載の単管足場用先行筋交いにおいて、
前記第１斜材の上部から前記第２斜材の上部まで延び、前記第１斜材の上部及び前記第２斜材の上部に連結される手摺を備えていることを特徴とする単管足場用先行筋交い。
【請求項９】
鉛直方向に延びるとともに水平方向に離れて設置された第１単管及び第２単管と、
前記第１単管と前記第２単管との間で互いに交差するように配設され、前記第１単管と前記第２単管とを連結する第１斜材及び第２斜材を有する単管足場用先行筋交いとを備えた仮設足場において、
前記第１斜材の上部には、前記第１単管に固定される第１上側クランプと、前記第１単管の外周面に接触し、当該外周面によって上下方向に案内される第１被案内部とが設けられ、
前記第２斜材の下部には、前記第１単管に固定される第１下側クランプが設けられ、
前記第２斜材の上部には、前記第２単管に固定される第２上側クランプが設けられ、
前記第１斜材の下部には、前記第２単管に固定される第２下側クランプが設けられていることを特徴とする仮設足場。
【請求項１０】
鉛直方向に延びるとともに水平方向に離れて設置された第１単管と第２単管との間で互いに交差するように配設され、前記第１単管と前記第２単管とを連結する第１斜材及び第２斜材と、前記第１斜材の上部から前記第２斜材の上部まで延び、前記第１斜材の上部及び前記第２斜材の上部に連結される手摺とを備えた単管足場用先行筋交いにおいて、
前記手摺における前記第１単管側には、前記第１単管に固定される第１上側クランプと、前記第１単管の外周面に接触し、当該外周面によって上下方向に案内される第１被案内部とが設けられ、
前記第２斜材の下部には、前記第１単管に固定される第１下側クランプが設けられ、
前記手摺における前記第２単管側には、前記第２単管に固定される第２上側クランプが設けられ、
前記第１斜材の下部には、前記第２単管に固定される第２下側クランプが設けられていることを特徴とする単管足場用先行筋交い。
【発明の詳細な説明】
【技術分野】
【０００１】
本発明は、仮設足場を構築する際に使用される単管足場用先行筋交い及び仮設足場に関するものである。
【背景技術】
【０００２】
例えば各種建築物の建設現場や補修作業現場では、その建築物の規模や構造等に応じた仮設足場が構築される。仮設足場は、複数本の建地、建地同士を連結する布材、足場板、筋交い、手摺等を組み合わせて構築されている。例えば特許文献１〜３に開示されているように、筋交いは、隣合う建地を連結する一対の斜材が互いに交差するように配置されているものであり、各斜材の端部は建地に対してクサビを介して連結される。
【先行技術文献】
【特許文献】
【０００３】
【特許文献１】特開２０１０−５９６３１号公報
【特許文献２】特開２０１２−８７５９６号公報
【特許文献３】特開２０１５−９８７４０号公報
【発明の概要】
【発明が解決しようとする課題】
【０００４】
ところで、建築物が高い場合には、仮設足場を高層化する必要がある。このような高層化された仮設足場は下層から上層へ順に構築していくことになるが、筋交いが取り付けられていない足場上で作業者が作業することは安全上、好ましくないため、作業者が階下の足場上で、未だ足場板が設置されていない階上の筋交いを取付可能にすることが考えられる。このような筋交いは、階上の足場板の設置に先行して取り付けられる筋交いであることから、先行筋交いと呼ぶことができる。
【０００５】
先行筋交いは、階下から階上へ移動させた後、階上の建地に固定しなければならないが、階下からの作業になるので作業者は先行筋交いの下部しか持つことができず、先行筋交いの上部の動きを拘束するものがない。先行筋交いは細長い斜材を組み合わせた構造であるとともに、斜材同士は相対的な動きが許容された状態で連結されているものなので、上部の動きを拘束できない状態、即ち上部がフリーな状態になっていると不安定になる。このため、先行筋交いを建地に沿って階上へ移動させる作業が簡単であるとは言い難く、施工性が悪い。また、先行筋交いは、水平方向に複数設けられるとともに、階数に応じて高さ方向にも複数設けられるので、上述した作業を繰り返し行わなければならず、作業者に大きな負担となる。
【０００６】
本発明は、かかる点に鑑みてなされたものであり、その目的とするところは、先行筋交いの施工性を向上させて短時間での設置を可能にすることにある。
【課題を解決するための手段】
【０００７】
上記目的を達成するために、本開示の第１の側面では、鉛直方向に延びるとともに水平方向に離れて設置された第１単管と第２単管との間で互いに交差するように配設され、前記第１単管と前記第２単管とを連結する第１斜材及び第２斜材を備えた単管足場用先行筋交いを前提とすることができる。前記第１単管に連結される側の上部には、前記第１単管に固定される第１上側クランプと、前記第１単管の外周面に接触し、当該外周面によって上下方向に案内される第１被案内部とが設けられている。また、前記第１単管に連結される側の下部には、前記第１単管に固定される第１下側クランプが設けられている。また、前記第２単管に連結される側の上部には、前記第２単管に固定される第２上側クランプが設けられている。さらに、前記第２単管に連結される側の下部には、前記第２単管に固定される第２下側クランプが設けられている。
【０００８】
この構成によれば、建地となる第１単管及び第２単管を使用して多層階の仮設足場を構築する際、階上の足場板を設置する前に、階下から階上へ先行筋交いを移動させて階上に上げる。このとき、作業者は先行筋交いの第１斜材及び第２斜材の下部しか持つことができないが、第１斜材の上部に設けられている第１被案内部が第１単管の外周面に接触し、当該外周面によって上方に案内されるので、先行筋交いを第１単管に沿って安定した状態で上方へ移動させることが可能になる。これにより、先行筋交いの施工性が向上する。
【０００９】
本開示の第２の側面では、前記第１被案内部が、前記第１上側クランプに固定されているものである。
【００１０】
この構成によれば、第１被案内部と第１上側クランプとを一体化することができるので、第１被案内部と第１上側クランプとの相対的な位置関係を一定に保つことができる。
【００１１】
本開示の第３の側面では、前記第１上側クランプは、前記第１単管の外周面に対して該第１単管の径方向一側及び他側からそれぞれ当接して該第１単管を径方向に挟持する第１挟持部材及び第２挟持部材と、前記第１挟持部材の一端側と前記第２挟持部材の一端側とが互いに接離する方向に回動可能に該第１挟持部材の他端側と該第２挟持部材の他端側とを連結する連結部材と、前記第１挟持部材の一端側と前記第２挟持部材の一端側とを互いに接近する方向に締結する締結部材とを備えている。そして、前記第１挟持部材の一端側と他端側との間の部分は、前記第１斜材の上部に固定されており、前記第１被案内部は、前記第１挟持部材に固定されている。
【００１２】
この構成によれば、第１挟持部材の一端側と第２挟持部材の一端側とが互いに離れる方向に第１挟持部材及び第２挟持部材を回動させると、第１挟持部材の一端側と第２挟持部材の一端側との間隔が広がるので、第１単管を第１挟持部材と第２挟持部材との間に配置することが可能になる。第１単管を第１挟持部材と第２挟持部材との間に配置した後、第１挟持部材の一端側と第２挟持部材の一端側とが互いに接近する方向に第１挟持部材及び第２挟持部材を回動させると、第１挟持部材及び第２挟持部材が第１単管の外周面に対して該第１単管の径方向一側及び他側からそれぞれ当接する。そして、締結部材により第１挟持部材の一端側と第２挟持部材の一端側とを互いに接近する方向に締結することで、第１挟持部材及び第２挟持部材が第１単管を径方向に挟持することができる。第１挟持部材に第１被案内部を固定しているので、第１斜材の上部を確実に案内することができる。
【００１３】
本開示の第４の側面では、前記第１被案内部が前記第１挟持部材から上方へ突出しているものである。
【００１４】
本開示の第５の側面では、前記第１被案内部が、前記第１斜材及び前記第１単管の正面視で前記第１単管の正面側まで延びる正面側延出部を有しているものである。
【００１５】
この構成によれば、正面側延出部が第１単管の正面に配置されるので、第１斜材が背面側へ倒れようとした時に正面側延出部が第１単管の正面に接触し、第１斜材の背面側への倒れが抑制される。
【００１６】
本開示の第６の側面では、前記第１被案内部が、前記第１斜材及び前記第１単管の背面視で前記第１単管の背面側まで延びる背面側延出部を有しているものである。
【００１７】
この構成によれば、背面側延出部が第１単管の背面に配置されるので、第１斜材が正面へ倒れようとした時に背面側延出部が第１単管の背面に接触し、第１斜材の正面側への倒れが抑制される。
【００１８】
本開示の第７の側面では、前記第２単管に連結される側の上部には、前記第２単管の外周面に接触し、当該外周面によって上下方向に案内される第２被案内部が設けられている。
【００１９】
この構成によれば、階下から階上へ先行筋交いを移動させて階上に上げるとき、第２被案内部が第２単管の外周面に接触し、当該外周面によって上方に案内されるので、先行筋交いを第１単管及び第２単管の両方に沿って安定した状態で上方へ移動させることが可能になる。
【００２０】
本開示の第８の側面では、前記第１斜材の上部から前記第２斜材の上部まで延び、前記第１斜材の上部及び前記第２斜材の上部に連結される手摺を備えている。
【００２１】
この構成によれば、第１斜材及び第２斜材と共に手摺を先行して取り付ける場合に、第１斜材、第２斜材及び手摺を安定した状態で階下から階上へ移動させることができる。
【００２２】
本開示の第９の側面では、鉛直方向に延びるとともに水平方向に離れて設置された第１単管及び第２単管と、前記第１単管と前記第２単管との間で互いに交差するように配設され、前記第１単管と前記第２単管とを連結する第１斜材及び第２斜材を有する単管足場用先行筋交いとを備えた仮設足場を前提することができる。
【発明の効果】
【００２３】
以上説明したように、第１斜材の上部に設けた第１被案内部が第１単管の外周面によって上方へ案内されるので、先行筋交いの施工性を向上させることができ、先行筋交いを短時間で設置できる。
【図面の簡単な説明】
【００２４】
【図１】本発明の実施形態に係る単管足場用先行筋交いの正面図である。
【図２】１階部分の単管に筋交い及び手摺を取り付けた状態を示す仮設足場の正面図である。
【図３】２階部分に単管に単管足場用先行筋交い及び手摺を取り付けた状態を示す仮設足場の正面図である。
【図４】２階部分に足場板を設置した状態を示す仮設足場の正面図である。
【図５】単管足場用先行筋交いを使用して構築された仮設足場の正面図である。
【図６】手摺に第１上側クランプを固定する例を示す正面図である。
【図７】第１斜材に第１上側クランプを固定する例を示す正面図である。
【図８】第１上側クランプ及び第１被案内部の斜視図である。
【図９】第１上側クランプ及び第１被案内部の正面図である。
【図１０】第１上側クランプ及び第１被案内部の正面図である。
【図１１】第１上側クランプを開放状態にした場合の図１０相当図である。
【図１２】第１下側クランプの正面図である。
【発明を実施するための形態】
【００２５】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００２６】
図１は、本発明の実施形態に係る単管足場用先行筋交い１の正面図である。単管足場用先行筋交い１は、図５に示すような仮設足場（単管足場）１００を構築する際に使用される部材である。この実施形態の説明では、単管足場用先行筋交い１を説明する前に、仮設足場１００の構成について説明する。
【００２７】
（仮設足場）
図５に示す仮設足場１００は、各種建築物の建築現場や土木作業現場において、その作業に応じて構築されるものである。建設作業以外にも、メンテナンス作業時にも仮設足場１００が構築される。図５では、正面から見た仮設足場１００の一例を示しており、建築物の規模や構造等に応じて様々な高さ、形状となるように構築される。本例では、仮設足場１００が２階以上の多層型のものが対象となる。図５では仮設足場１００が２階である場合を示しているが、３階以上の階数を有する仮設足場１００に本発明を適用することもできる。また、図５の左右方向を仮設足場１００の幅方向と定義するが、これは説明の便宜を図るためだけであり、仮設足場１００の方向を限定するものではない。
【００２８】
仮設足場１００は、本発明の実施形態に係る単管足場用先行筋交い１の他に、複数本の建地となる単管（第１〜第４単管）１０１〜１０４と、単管ベース１０５と、根がらみ１０６と、１階用筋交い１０７と、足場板１１０とを備えている。これらの他に、図示しないがジャッキベース、布材、幅木、壁つなぎ、階段等が仮設足場１００の構築の際に使用されることもある。これら部材によって単管を建地として使用した単管足場としての仮設足場１００が構築される。仮設足場１００を構成している各部材を足場構成部材と呼ぶ。
【００２９】
第１〜第４単管１０１〜１０４は、従来から仮設足場を構築する際に使用されている円形断面を有する金属製単管パイプからなる部材であり、鉛直方向に延びるとともに、互いに水平方向に離れて配置されている。この例では、第１〜第４単管１０１〜１０４を示しているが、建地となる単管の数は４本に限定されるものではない。第１〜第４単管１０１〜１０４は互いに平行である。上記金属製単管パイプは規格品として設定されている部材であり、第１〜第４単管１０１〜１０４は同じ単管パイプからなる。
【００３０】
第１〜第４単管１０１〜１０４の下端部には、単管ベース１０５が取り付けられている。単管ベース１０５が地面に当接するようになっている。また、第１〜第４単管１０１〜１０４の下端部近傍には、単管ベース１０５から上方に離れた部位に根がらみ１０６が設けられている。根がらみ１０６は、第１〜第４単管１０１〜１０４のうち、隣合う建地同士を連結する部材である。単管ベース１０５や根がらみ１０６は、必要に応じて設けることができる。
【００３１】
根がらみ１０６の上には、１階用筋交い１０７が設けられている。この１階用筋交い１０７は従来の筋交いと同じものであり、２本の斜材と手摺とで構成されている。１階用筋交い１０７は、第１〜第４単管１０１〜１０４に対して後述するようなクランプ部材によって連結されている。
【００３２】
（単管足場用先行筋交いの構造）
次に、図１に示す単管足場用先行筋交い１の構造について説明する。単管足場用先行筋交い１は、第１単管１０１の２階に相当する部分と、第２単管１０２の２階に相当する部分との間で互いに交差するように配設される第１斜材１０及び第２斜材２０とを備えている。第１斜材１０及び第２斜材２０が、第１単管１０１の２階に相当する部分と第２単管１０２の２階に相当する部分とを連結することで、仮設足場１００の強度を向上させることができるとともに、作業者の２階からの転落を抑制することができる。第１斜材１０及び第２斜材２０は、伸縮可能に構成されていてもよい。第１斜材１０及び第２斜材２０は、ブレースと呼ぶこともできる。
【００３３】
尚、この実施形態の説明では、第１単管１０１と第２単管１０２とを単管足場用先行筋交い１で連結する場合について説明するが、同じ単管足場用先行筋交い１を用いて第２単管１０２と第３単管１０３とを連結でき、また、第３単管１０３と第４単管１０４とを連結することもできる。また、同じ単管足場用先行筋交い１を用いて、第１単管１０１の３階に相当する部分と、第２単管１０２の３階に相当する部分とを連結することもできる。つまり、単管足場用先行筋交い１は、第１単管１０１の２階以上に相当する部分と、第２単管１０２の２階以上に相当する部分とを連結する足場構成部材である。
【００３４】
単管足場用先行筋交い１は、手摺３０を備えている。手摺３０は、円形断面を有する金属製パイプで構成されており、第１斜材１０の上部から第２斜材２０の上部まで略水平に延びている。手摺３０における第１単管１０１側の端部が第１斜材１０の上部に連結され、また、手摺３０における第２単管１０２側の端部が第２斜材２０の上部に連結される。手摺３０は伸縮自在に構成されていてもよい。また、手摺３０は必要に応じて設ければよく、省略してもよい。
【００３５】
第１斜材１０、第２斜材２０及び手摺３０によって筋交い本体３５が構成されている。単管足場用先行筋交い１は、筋交い本体３５の他に、第１上側クランプ４０、第１下側クランプ５０、第２上側クランプ６０、第２下側クランプ７０、第１被案内部８０及び第２被案内部９０を備えている。具体的には、単管足場用先行筋交い１における第１単管１０１に連結される側の上部には、第１単管１０１に固定される第１上側クランプ４０と、第１単管１０１の外周面に接触し、当該外周面によって上下方向に案内される第１被案内部８０とが設けられている。また、単管足場用先行筋交い１における第１単管１００に連結される側の下部には、第１単管１０１に固定される第１下側クランプ５０が設けられている。また、単管足場用先行筋交い１における第２単管１０２に連結される側の上部には、第２単管１０２に固定される第２上側クランプ６０と、第２単管１０２の外周面に接触し、当該外周面によって上下方向に案内される第２被案内部９０とが設けられている。さらに、単管足場用先行筋交い１における第２単管１０２に連結される側の下部には、第２単管１０２に固定される第２下側クランプ７０が設けられている。
【００３６】
第１上側クランプ４０と第１下側クランプ５０とは同じものである。また、第２上側クランプ６０と第２下側クランプ７０とは同じものである。第１上側クランプ４０を上下反転させることにより、第２上側クランプ６０として使用することができる。また、第１下側クランプ５０を上下反転させることにより、第２下側クランプ７０として使用することができる。つまり、同じクランプを、第１上側クランプ４０、第１下側クランプ５０、第２上側クランプ６０及び第２下側クランプ７０として使用することができる。尚、第１上側クランプ４０、第１下側クランプ５０、第２上側クランプ６０及び第２下側クランプ７０は、共通化することなく、それぞれ別構造のクランプで構成してもよい。
【００３７】
図６は、第１上側クランプ４０を手摺３０における第１単管１０１側の端部に固定している例を示している。図６に示す例では、第１斜材１０の上部が手摺３０に対してボルト、ナット、リベット等の締結部材１０ａにより固定されている。第１上側クランプ４０は、手摺３０に対して、同様な締結部材３０ａにより固定することができる。手摺３０における第１単管１０１側の端部は、単管足場用先行筋交い１における第１単管１０１に連結される側の上部である。
【００３８】
図７は、第１上側クランプ４０を第１斜材１０の上部に固定している例を示している。図７に示す例では、手摺３０における第１単管１０１側の端部が、第１斜材１０に対してボルト、ナット、リベット等の締結部材３０ｂにより固定されている。第１上側クランプ４０は、第１斜材１０に対して、同様な締結部材１０ｂにより固定することができる。第１斜材１０の上部は、単管足場用先行筋交い１における第１単管１０１に連結される側の上部である。
【００３９】
図１に示す第２上側クランプ６０も同様に手摺３０における第２単管１０２側の端部に固定してもよいし、第２斜材２０の上部に固定してもよい。手摺３０における第２単管１０２側の端部、及び第２斜材２０の上部は、それぞれ、単管足場用先行筋交い１における第２単管１０２に連結される側の上部となり得る。
【００４０】
また、第１下側クランプ５０は、第２斜材２０の下部に固定されている。第２斜材２０の下部は、単管足場用先行筋交い１における第１単管１０１に連結される側の下部となり得る。また、第２下側クランプ７０は、第１斜材１０の下部に固定されている。第１斜材１０の下部は、単管足場用先行筋交い１における第２単管１０２に連結される側の下部となり得る。
【００４１】
（クランプの詳細構造）
上述したように、第１上側クランプ４０、第１下側クランプ５０、第２上側クランプ６０及び第２下側クランプ７０は共通化されているので、以下、第１上側クランプ４０の詳細構造について説明する。
【００４２】
図８〜図１１に示すように、第１上側クランプ４０は、第１単管１０１（図１０及び図１１に仮想線で示す）を径方向に挟持する第１挟持部材４１及び第２挟持部材４２と、第１挟持部材４１及び第２挟持部材４２を回動可能に連結する連結部材４３と、第１挟持部材４１及び第２挟持部材４２を締結する締結部材４４とを備えている。第１挟持部材４１及び第２挟持部材４２は、第１単管１０１の外周面に対して該第１単管１０１の径方向（水平方向）一側及び他側からそれぞれ当接することにより、第１単管１０１を径方向に挟持（クランプ）する部材である。
【００４３】
尚、この実施形態の説明では、第１上側クランプ４０を支柱２００に取り付けた状態で、第１上側クランプ４０の下になる側を単に「下」といい、第１上側クランプ４０の上になる側を単に「上」というものとする。また、第１挟持部材４１及び第２挟持部材４２における連結部材４３によって連結される側を、第１挟持部材４１及び第２挟持部材４２の「基端側」といい、第１挟持部材４１及び第２挟持部材４２における連結部材４３によって連結される側とは反対側を、第１挟持部材４１及び第２挟持部材４２の「先端側」というものとする。第１挟持部材４１及び第２挟持部材４２の先端側が本発明の一端側に相当し、第１挟持部材４１及び第２挟持部材４２の基端側が本発明の他端側に相当する。このように第１上側クランプ４０の方向を定義するのは説明の便宜を図るためだけであり、第１上側クランプ４０の使用状態を限定するものではなく、図示した姿勢以外の姿勢で第１上側クランプ４０を使用することも可能である。
【００４４】
第１挟持部材４１は、第１上側板部４１ａと、第１下側板部４１ｂと、第１縦板部４１ｃとを有している。第１上側板部４１ａ、第１下側板部４１ｂ及び第１縦板部４１ｃは例えば鋼板等で構成されている。第１上側板部４１ａは、第１挟持部材４１の上部を構成する部分であり、水平方向に延びている。第１上側板部４１ａには、第１単管１０１の外周面に当接する第１当接面部４１ｄが当該第１単管１０１の外周面に沿うように円弧状に形成されている。第１下側板部４１ｂは、第１挟持部材４１の下部を構成する部分であり、水平方向に延びている。第１下側板部４１ｂには、第１単管１０１の外周面に当接する第１当接面部４１ｅが当該第１単管１０１の外周面に沿うように円弧状に形成されている。
【００４５】
第１縦板部４１ｃは、第１上側板部４１ａにおける第１当接面部４１ｄとは反対側から、第１下側板部４１ｂにおける第１当接面部４１ｅとは反対側まで上下方向に延びている。この第１縦板部４１ｃによって第１上側板部４１ａと第１下側板部４１ｂとが連結されている。
【００４６】
図１０に示すように、第１縦板部４１ｃには、２つの取付板部４５、４５が水平方向へ突出するように設けられている。取付板部４５、４５は、第１挟持部材４１の基端側と先端側との間の部分に設けられている。図９に示すように、各取付板部４５の突出方向先端側は下方へ向けて延出しており、この下方へ延出した部分には、図６に示す締結部材３０ａや図７に示す締結部材１０ｂが挿通する挿通孔４５ａが形成されている。取付板部４５、４５は、図６に示す手摺３０の端部に設けられている板部３０ｂまたは図７に示す第１斜材１０の端部に設けられている板部１０ｃを挟むように設けられている。取付板部４５、４５は、図６に示す板部３０ｂまたは図７に示す板部１０ｃを挟持した状態で当該板部３０ｂ、１０ｃに締結固定される。つまり、第１挟持部材４１の基端側と先端側との間の部分が、手摺３０または第１斜材１０の上部に固定される。
【００４７】
第１挟持部材４１の先端側には、例えば鋼鈑等からなる係止板部４６が固定されている。係止板部４６は、第１上側板部４１ａの先端側から第１下側板部４１ｂの先端側まで上下方向に延びるとともに、当該第１上側板部４１ａ及び第１下側板部４１ｂから先端側へ突出している。係止板部４６には、後述する締結軸部４４ａを挿入するための軸部挿入用切欠部４６ａが形成されている。軸部挿入用切欠部４６ａは、係止板部４６の先端側に向けて開放している。
【００４８】
図９に示すように、第２挟持部材４２は、第２上側板部４２ａと、第２下側板部４２ｂと、第２縦板部４２ｃとを有している。第２上側板部４２ａ、第２下側板部４２ｂ及び第２縦板部４２ｃは例えば鋼板等で構成されている。第２上側板部４２ａは、第２挟持部材４２の上部を構成する部分であり、水平方向に延びるとともに、第１上側板部４１ａの下に配置されている。図１０に示すように、第２上側板部４２ａには、第１単管１０１の外周面に当接する第２当接面部４２ｄが当該第１単管１０１の外周面に沿うように円弧状に形成されている。図９に示すように、第２下側板部４２ｂは、第２挟持部材４２の下部を構成する部分であり、水平方向に延びるとともに、第１下側板部４１ｂの上に配置されている。図１０に示すように、第２下側板部４２ｂには、第１単管１０１の外周面に当接する第２当接面部４２ｅが当該第１単管１０１の外周面に沿うように円弧状に形成されている。
【００４９】
第２縦板部４２ｃは、第２上側板部４２ａにおける第２当接面部４２ｄとは反対側から、第２下側板部４２ｂにおける第２当接面部４２ｅとは反対側まで上下方向に延びている。この第２縦板部４２ｃによって第２上側板部４２ａと第２下側板部４２ｂとが連結されている。
【００５０】
連結部材４３は、例えば金属製の丸棒材等で構成することができ、上下方向に延びている。連結部材４３の上側部分が第１上側板部４１ａの基端側及び第２上側板部４２ａの基端側を上下方向に貫通している。すなわち、第１上側板部４１ａの基端側及び第２上側板部４２ａの基端側には、連結部材４３の上側部分が挿通可能な挿通孔（図示せず）が形成されている。これら両挿通孔に連結部材４３の上側部分が挿通されており、この挿通状態で、連結部材４３が第１上側板部４１ａの基端側及び第２上側板部４２ａの基端側に対して該連結部材４３の中心線周りに相対的に回動可能となっている。連結部材４３の上端部は、第１上側板部４１ａの上面から上方へ突出している。連結部材４３の上端部には上側抜け止め部４３ａが設けられている。
【００５１】
また、連結部材４３の下側部分が第１下側板部４１ｂの基端側及び第２下側板部４２ｂの基端側を上下方向に貫通している。すなわち、第１下側板部４１ｂの基端側及び第２下側板部４２ｂの基端側には、連結部材４３の上側部分が挿通可能な挿通孔（図示せず）が形成されている。これら両挿通孔に連結部材４３の上側部分が挿通されており、この挿通状態で、連結部材４３が第１下側板部４１ｂの基端側及び第２下側板部４２ｂの基端側に対して該連結部材４３の中心線周りに相対的に回動可能となっている。連結部材４３の上端部は、第１下側板部４１ｂの下面から下方へ突出している。連結部材４３の下端部には下側抜け止め部４３ｂが設けられている。
【００５２】
従って、連結部材４３によって第１挟持部材４１の基端側と第２挟持部材４２の基端側とが連結されて、第１挟持部材４１の先端側と第２挟持部材４２の先端側とが互いに接離する方向に回動可能になる。図１１は、第１挟持部材４１の先端側と第２挟持部材４２の先端側とが互いに離れた状態、即ち開放状態にある第１上側クランプ４０を示している。
【００５３】
図９に示すように、第２上側板部４２ａ及び第２下側板部４２ｂの先端側には、後述する締結軸部４４ａが連結される連結板部４７、４７がそれぞれ設けられている。連結板部４７、４７は、先端側へ向けて略水平に延出するとともに、互いに略平行に延びている。連結板部４７、４７と、第２上側板部４２ａ及び第２下側板部４２ｂとは一体成形されていてもよい。
【００５４】
締結部材４４は、締結軸部４４ａと、ナット４４ｂとを少なくとも備えている。締結軸部４４ａの基端部には大径部４４ｃが形成されている。大径部４４ｃは連結板部４７、４７の間に配置される。締結軸部４４ａにおける大径部４４ｃ以外の部分は、外周面にネジ溝が連続して形成されたネジ棒で構成されており、例えばボルトの軸部等で構成することができる。ナット４４ｂは、締結軸部４４ａに螺合する部材である。ナット４４ｂの端面が係止板部４６における軸部挿入用切欠部４６ａの周縁部に当接するようになっている。
【００５５】
締結部材４４は、締結軸部４４ａを支持する支軸４４ｄも備えている。支軸４４ｄは、締結軸部４４ａの大径部４４ｃを第２挟持部材４２の先端側に対して回動可能に支持するための部材である。支軸４４ｄは、上記連結部材４３と同様に上下方向に延びる丸棒材で構成されている。支軸４４ｄの上側部分及び下側部分は、それぞれ連結板部４７、４７を貫通し、支軸４４ｄの中間部分は、締結軸部４４ａの大径部４４ｃを貫通している。すなわち、連結板部４７、４７には、支軸４４ｄの上側部分及び下側部分が挿通可能な挿通孔４７ａが形成されている。各挿通孔４７ａに支軸４４ｄの上側部分及び下側部分が挿通されており、この挿通状態で、支軸４４ｄが連結板部４７、４７に対して該支軸４４ｄの中心線周りに相対的に回動可能となっている。支軸４４ｄの上端部及び下端部は、抜け止め部（図示せず）を有しており、連結板部４７、４７の挿通孔４７ａから抜けないように形成されている。また、締結軸部４４ａの大径部４４ｃには、支軸４４ｄの中間部分が挿通可能な挿通孔（図示せず）が形成されている。大径部４４ｃに形成された挿通孔に支軸４４ｄの中間部分が挿通された状態で、支軸４４ｄが大径部４４ｃに対して該支軸４４ｄの中心線周りに相対的に回動可能となっている。
【００５６】
締結軸部４４ａを回動させることにより、図１０等に示すように、締結軸部４４ａを係止板部４６の軸部挿入用切欠部４６ａに挿入した状態と、図１１に示すように、締結軸部４４ａを係止板部４６の軸部挿入用切欠部４６ａから抜いた状態とに切り替えることができる。締結軸部４４ａを係止板部４６の軸部挿入用切欠部４６ａに挿入した状態で、ナット４４ｂを締め込むと、第１挟持部材４１の先端側と第２挟持部材４２の先端側とが接近する方向に締結される。
【００５７】
図９に示すように、第１被案内部８０は、第１上側クランプ４０の第１挟持部材４１に固定されており、第１挟持部材４１から上方へ突出している。すなわち、第１被案内部８０は、第１挟持部材４１の上面から上方へ延びる固定板部８１と、固定板部８１から延出する正面側延出板部８２及び背面側延出板部８３（図１０に示す）とを備えている。固定板部８１の下端部は、第１挟持部材４１の上面における第１当接面部４１ｄから外方へ離れた部分に固定されている。固定板部８１は、全体として第１当接面部４１ｄを囲むように形成されており、中間板部８１ａと、中間板部８１ａから先端側へ向けて突出する先端側板部８１ｂと、中間板部８１ａから基端側へ向けて突出する基端側板部８１ｃとを備えている。先端側板部８１ｂは、突出方向先端に近づくほど第２挟持部材４２側に位置するように傾斜しており、また、基端側板部８１ｃも突出方向先端に近づくほど第２挟持部材４２側に位置するように傾斜している。
【００５８】
正面側延出板部８２は、先端側板部８１ｂの突出方向先端部から第２挟持部材４２側へ向けて延びている。また、背面側延出板部８３は、基端側板部８１ｃの突出方向先端部から第２挟持部材４２側へ向けて延びている。図１１に仮想線で示すように、第１単管１０１は、正面側延出板部８２と背面側延出板部８３との間に挿入されるようになっている。仮設足場１００の正面は図５に示しており、この図５に示す方向から見た場合が、第１斜材１０及び第１単管１０１の正面視である。図１０及び図１１に示す平面図では、正面側が図１０及び図１１の下側、背面側（裏面側）が図１０及び図１１の上側となる。したがって、正面側延出板部８２は、第１斜材１０及び第１単管１０１の正面視で第１単管１０１の正面側に達するまで仮設足場１００の幅方向に沿う方向（仮設足場１００の幅方向と略平行な方向）に延びている。これにより、正面側延出部８２は第１単管１０１の正面側に接触可能に位置付けられ、第１単管１０１を正面側から覆うように配置されることになる。
【００５９】
また、背面側延出板部８３は、第１斜材１０及び第１単管１０１の背面視（仮設足場１００の背面側から見たとき）で第１単管１０１の背面側に達するまで仮設足場１００の幅方向に沿う方向に延びている。これにより、背面側延出部８３は第１単管１０１の背面側に接触可能に位置付けられ、第１単管１０１を背面側から覆うように配置されることになる。
【００６０】
正面側延出板部８２と背面側延出部８３とは、互いに所定距離を隔てて対向するように配置されるとともに、互いに略平行に延びている。正面側延出板部８２と背面側延出部８３とは、延出方向先端側へ行くほど互いに離れるように形成されていてもよい。正面側延出板部８２と背面側延出部８３との離間寸法は、第１単管１０１の外径寸法以上に設定されている。これにより、正面側延出板部８２の先端部と、背面側延出部８３の先端部との間は開放されることになり、この開放部分から第１単管１０１を正面側延出板部８２と背面側延出部８３との間に入れることが可能になっている。正面側延出板部８２と背面側延出部８３とは第１単管１０１の外周面に沿うように湾曲していてもよい。
【００６１】
図１に示す第２被案内部９０は、第１被案内部８０と同様に構成されたものである。第１被案内部８０が固定された第１上側クランプ４０を上下反転させることで、第２上側クランプ６０として使用することができるので、第１被案内部８０を上下反転させたものが第２被案内部９０となる。このため、第２被案内部９０は第２上側クランプ６０から下方へ突出するように配置される。図１に示すように、第２被案内部９０も、固定板部９１、正面側延出板部９２及び背面側延出板部（図示せず）を備えており、正面側延出板部９２が第２単管１０２の正面側に配置され、背面側延出板部が第２単管１０２の背面側に配置される。尚、第２被案内部９０は第２上側クランプ６０から上方へ突出するように設けられていてもよい。
【００６２】
図１２は、第１下側クランプ５０の正面図である。上述したように第１下側クランプ５０は、第１上側クランプ４０と同様に構成されているので、第１挟持部材５１及び第２挟持部材５２と、連結部材５３と、締結部材５４とを備えている。第１挟持部材５１は、第１上側板部５１ａと、第１下側板部５１ｂと、第１縦板部５１ｃとを有している。第１縦板部５１ｃには、挿通孔５５ａを有する取付板部５５が設けられている。第１挟持部材５１には軸部挿入用切欠部５６ａが形成された係止板部５６が設けられている。また、第２挟持部材５２は、第２上側板部５２ａと、第２下側板部５２ｂと、第２縦板部５２ｃとを有している。
【００６３】
連結部材５３は上側抜け止め部５３ａと下側抜け止め部５３ｂとを有している。第２上側板部５２ａ及び第２下側板部５２ｂの先端側には、締結軸部５４ａが連結される連結板部５７、５７がそれぞれ設けられている。締結軸部５４ａの大径部５４ｃは、支軸５４ｄによって回動可能となっている。締結軸部５４ａを係止板部５６の軸部挿入用切欠部５６ａに挿入した状態で、ナット５４ｂを締め込むと、第１挟持部材５１の先端側と第２挟持部材５２の先端側とが接近する方向に締結される。
【００６４】
（施工要領）
次に、仮設足場１００の施工要領について説明する。まず、図２に示すように、単管ベース１０５及び第１〜第４単管１０１〜１０４を設置するとともに、根がらみ１０６を設置する。
【００６５】
その後、１階用筋交い１０７を用いて、第１単管１０１と第２単管足場１０２とを連結し、第２単管１０２と第３単管足場１０３とを連結し、第３単管１０３と第４単管足場１０４とを連結する。以上のようにして１階用筋交い１０７の設置が終了する。１階用筋交い１０７は、上記クランプ４０、５０、６０、７０等を用いて単管１０１〜１０４に連結することができる。
【００６６】
１階用筋交い１０７の設置が終了すると、２階部分の足場板１１０を設置する前に、図３に示すように、足場板１１０の設置に先行して単管用先行筋交い１を２階部分に設置する。このとき、２階部分にはまだ足場板１１０が設置されていないので、作業者は、単管用先行筋交い１を階下（１階）から階上（２階）へ移動させることになる。すなわち、はじめに作業者は地面に立ち、単管用先行筋交い１の第１斜材１０及び第２斜材２０の下側部分を持った後、第１斜材１０の上部にある第１被案内部８０の正面側延出部８２と背面側延出部８３との間に、第１単管１０１を入れる。また、第２斜材２０の上部にある第２被案内部９０の正面側延出部９２と背面側延出部（図示せず）との間に、第２単管１０２を入れる。第１上側クランプ４０、第１下側クランプ５０、第２上側クランプ６０及び第２下側クランプ７０は開放状態にしておく。
【００６７】
その後、作業者が第１斜材１０及び第２斜材２０の下側部分を持ったまま上昇させる。このとき、第１斜材１０の上部から離れたところを持っているので、第１斜材１０がぐらつきやすいが、本例では、正面側延出部８２が第１単管１０１の外周面に対して正面側から接触し、また、背面側延出部８３が第１単管１０１の外周面に対して背面側から接触するので、第１斜材１０が第１単管１０１によって上方へ案内される。
【００６８】
また、第２斜材２０もぐらつきやすいが、第２斜材２０側の正面側延出部９２が第２単管１０２の外周面に対して正面側から接触し、また、背面側延出部が第２単管１０２の外周面に対して背面側から接触するので、第２斜材２０が第２単管１０２によって上方へ案内される。これにより、第１斜材１０及び第２斜材２０の正面側への倒れ、背面側への倒れが抑制されるので、第１斜材１０及び第２斜材２０をスムーズに上方へ移動させることができる。尚、第２斜材２０の上部に第２被案内部９０を設けることなく、第１斜材１０の上部にのみ第１被案内部８０を設けてもよい。この場合は、第１斜材１０のみが第１単管１０１によって案内されることになるが、第１斜材１０が案内されることで、第２斜材２０も同方向に容易に移動させることが可能になり、施工性は良好である。
【００６９】
単管用先行筋交い１を２階まで移動させた後、第１下側クランプ５０を第１単管１０１に固定し、第２下側クランプ７０を第２単管１０２に固定する。第１下側クランプ５０を第１単管１０１に固定する際には、開放状態にある第１挟持部材４１及び第２挟持部材４２の間に第１単管１０１を配置した後、第１挟持部材４１及び第２挟持部材４２を相対回動させ、第１単管１０１を第１挟持部材４１及び第２挟持部材４２によって挟持する。そして、締結軸部４４ａを係止板部４６の軸部挿入用切欠部４６ａに挿入してから、ナット４４ｂを締め込む。第２下側クランプ７０を第２単管１０２に固定する際も同様である。
【００７０】
これにより、単管用先行筋交い１の下部が第１単管１０１及び第２単管１０２に強固に固定される。このとき、第１上側クランプ４０及び第２上側クランプ６０が固定されていないので、単管用先行筋交い１の上部がフリーな状態になるが、第１被案内部８０及び第２被案内部９０によって単管用先行筋交い１の倒れが抑制される。
【００７１】
次いで、図４に示すように、第２単管１０２と第３単管１０３とを連結する単管用先行筋交い１を同様にして２階まで移動させた後、第２単管１０２と第３単管１０３に連結する。また、第３単管１０３と第４単管１０４とを連結する単管用先行筋交い１を同様にして２階まで移動させた後、第３単管１０３と第４単管１０４に連結する。このようにして２階部分に単管用先行筋交い１を設置した後、仮設足場１００の幅方向に延びる布材３００を設置する。さらに、布材３００上に設置される単管からなるころばし３０１を使用し、このころばし３０１に足場板１１０を設置することができる。図５に示すように、全ての２階部分の足場板１１０を設置する。２階部分の足場板１１０の設置が完了した後、第１上側クランプ４０及び第２上側クランプ６０を第１単管１０１及び第２単管１０２にそれぞれ固定する。
【００７２】
また、図示しないが、２階部分の足場板１１０が設置された後、３階部分がある場合には、３階部分の足場板の設置に先行して、２階の足場板１１０に立っている作業者が単管用先行筋交い１を２階から３階へ移動させて設置する。
【００７３】
（実施形態の作用効果）
以上説明したように、この実施形態によれば、多層階の仮設足場１００を構築する際に、階上の足場板１１０の設置に先行して、階下から階上へ単管用先行筋交い１を移動させて階上に上げるとき、単管用先行筋交い１の上部に設けられている第１被案内部８０が第１単管１０１の外周面に接触し、当該外周面によって上方に案内され、また、第２被案内部９０が第２単管１０２の外周面に接触し、当該外周面によって上方に案内されるので、単管用先行筋交い１を第１単管１０１及び第２単管１０２に沿って安定した状態で上方へ移動させることが可能になる。これにより、単管用先行筋交い１の施工性が向上し、短時間での設置が可能になる。
【００７４】
上述の実施形態はあらゆる点で単なる例示に過ぎず、限定的に解釈してはならない。さらに、特許請求の範囲の均等範囲に属する変形や変更は、全て本発明の範囲内のものである。
【産業上の利用可能性】
【００７５】
以上説明したように、本発明に係る単管足場用先行筋交いは、例えば多層階の仮設足場を構築する場合に使用できる。
【符号の説明】
【００７６】
１            単管足場用先行筋交い
１０          第１斜材
２０          第２斜材
３０          手摺
４０          第１上側クランプ
５０          第１下側クランプ
６０          第２上側クランプ
７０          第２下側クランプ
８０          第１被案内部
８２          正面側延出板部
８３          背面側延出板部
９０          第２被案内部
１００        仮設足場
１０１        第１単管
１０２        第２単管
【要約】
【課題】先行筋交いの施工性を向上させて短時間での設置を可能にする。
【解決手段】単管足場用先行筋交い１は、第１単管と第２単管との間で互いに交差するように配設される第１斜材１０及び第２斜材２０を備えている。第１斜材１０の上部には、第１単管に固定される第１上側クランプ４０と、第１単管の外周面に接触し、当該外周面によって上下方向に案内される第１被案内部８０とが設けられている。第１斜材１０の下部には、第２単管に固定される第１下側クランプ５０が設けられている。第２斜材２０の上部には、第２単管に固定される第２上側クランプ６０が設けられている。第２斜材２０の下部には、第１単管に固定される第２下側クランプ７０が設けられている。
【選択図】図１【図１】
0006968327.tif 000002
【図２】
0006968327.tif 000003
【図３】
0006968327.tif 000004
【図４】
0006968327.tif 000005
【図５】
0006968327.tif 000006
【図６】
0006968327.tif 000007
【図７】
0006968327.tif 000008
【図８】
0006968327.tif 000009
【図９】
0006968327.tif 000010
【図１０】
0006968327.tif 000011
【図１１】
0006968327.tif 000012
【図１２】
0006968327.tif 000013